(57)【特許請求の範囲】
【請求項１】
立体形状を有し外形が同じ複数個の商品を隣り合わせて保持し、その商品間を跨いで両商品に亘りラベルを貼付して一体化するラベル貼付装置であって、
少なくともラベル貼付時に商品間を跨いでラベルを貼付する貼付手段を備え、前記貼付手段は、隣り合わせて位置される商品に対しラベルを貼付する第一の貼付手段と、該第一の貼付手段によりラベルが貼付された面と異なる商品の面にラベルを貼付する第二の貼付手段とからなり、
前記第一の貼付手段にてラベルが貼付され一体化され、ラベルが貼付された面と異なる面を前記第二の貼付手段と向き合うように商品の向きを変更させる変更手段と、
前記変更手段により向きが変更され、前記第一の貼付手段にてラベルが貼付され一体化された商品を搬送する搬送手段を前記第一の貼付手段の後段に備え、
該搬送手段は前記変更手段により商品の向きが変更された商品を搬送し、
前記第二の貼付手段は、該搬送手段の搬送面の上方又は下方から通過する商品にラベルを貼付する貼付手段であることを特徴とするラベル貼付装置。
【発明の詳細な説明】
【技術分野】
【０００１】
本発明は立体形状を有する商品（例えば、個別包装おにぎり、サンドイッチ等）を複数個まとめ販売する等の為に一体化する方法、及び複数個の商品を一体化する装置に関する。
【背景技術】
【０００２】
コンビニエンスストアーやスーパーマーケット等で個別包装おにぎり（三角手巻きおにぎり）等の商品を、複数個（例えば２個）を纏め販売する形態がとられている場合がある。その場合、おにぎりを２個纏めるのにテープ（プラスチックテープ等）、或いは袋が用いられ、そのテープ巻き、或いは袋詰めは手作業で行われているのが実情で、作業効率が悪いという問題があった。
又、テープ或いは袋で一体化された商品には、販売に必要な商品情報やバーコード等が印字された商品ラベルを別途貼付しており、更に作業効率が悪いという問題を有する。
【０００３】
即ち、複数個の商品を一体化（纏める）する作業と、その一体化した商品に商品ラベルを貼付する作業の二工程に分かれ、更に商品を一体化する部材（テープ或いは袋）と商品ラベルがそれぞれ必要であった。
尚、三角形状に成型され、包装材（フィルム）で包装された手巻きおにぎりにラベルを貼付するラベル貼付装置として、例えば特許文献１が提案されている。
【先行技術文献】
【特許文献】
【０００４】
【特許文献１】特開２００６−２３２３０８号公報
【発明の概要】
【発明が解決しようとする課題】
【０００５】
本発明は上記した従来の問題点に鑑みてなされたもので、立体形状を有する商品を複数個、容易に一体化することができる方法、及び一体化する装置を提供することを課題とする。
【課題を解決するための手段】
【０００６】
上記課題を解決する為に講じた本発明は、立体形状を有し外形が同じ複数個の商品を隣り合わせて保持し、その商品間を跨いで両商品に亘りラベルを貼付して一体化するラベル貼付装置であって、
少なくともラベル貼付時に商品間を跨いでラベルを貼付する貼付手段を備え、前記貼付手段は、隣り合わせて位置される商品に対しラベルを貼付する第一の貼付手段と、該第一の貼付手段によりラベルが貼付された面と異なる商品の面にラベルを貼付する第二の貼付手段とからなり、前記第一の貼付手段にてラベルが貼付され一体化され、ラベルが貼付された面と異なる面を前記第二の貼付手段と向き合うように商品の向きを変更させる変更手段と、前記変更手段により向きが変更され、前記第一の貼付手段にてラベルが貼付され一体化された商品を搬送する搬送手段を前記第一の貼付手段の後段に備え、該搬送手段は前記変更手段により商品の向きが変更された商品を搬送し、前記第二の貼付手段は、該搬送手段の搬送面の上方又は下方から通過する商品にラベルを貼付する貼付手段であることを特徴とする。
【０００７】
前記立体形状を有する商品を一体化する個数は、２個以上であればよく、商品によって一体化の個数を選択してもよい。
また、隣り合わせた複数個の商品間を跨いで貼付するラベルの枚数は、１枚、２枚以上の何れでもよく、要は一体化した商品がバラバラにならないように保持できる結合強度が発揮されればよい。ラベルを複数枚貼付する場合は、同じラベルを貼付してもよいが、異種のラベル（例えば、商品ラベルと添加物ラベル等）を貼付してもよい。
【０００８】
又、ラベルの貼付場所は、隣り合わせた商品間を跨いで貼付される位置であればよく、特に限定されない。例えば、商品が三角形状の手巻きおにぎりである場合、三角形の面を合わせ、その商品と商品との間の境界線を跨いで傾斜面に貼付する、或いは境界線を跨いで底面に貼付する、境界線を跨いで一方の傾斜面から他方の傾斜面に亘って貼付する等、任意である、
【０００９】
上記手段によれば、立体形状を有する外形が同じ複数個の商品を、紐や袋などの結束具を用いることなく、商品に貼付するラベルによって一体化することが出来る。
【００１０】
また、前記貼付手段は、商品の上面にラベルを貼付する上貼り貼付手段、或いは商品の底面にラベルを貼付する下貼り貼付手段、上貼り貼付手段と下貼り貼付手段を組み合わせ配置する等何れでもよく、貼付手段によるラベルの貼付枚数も１枚、複数枚の何れでもよい。
又、前記貼付手段は、印字部を備えたラベル貼付機、或いは印字部を備えず予め必要事項が印字されたラベルロールを使用するラベル貼付機の何れでもよい。
【００１１】
上記手段によれば、外形が同じ複数個の商品を保持手段によって商品相互が離れないように保持し、その保持した商品間を跨いでラベルが貼付手段によって貼付されるため、商品を一体化させる為のラベル貼付を確実に行うことができる。
【００１２】
また、前記貼付手段を構成する第一の貼付手段、第二の貼付手段としては、今日、商品へのラベル貼付として一般的に採用されている搬送商品の上面にラベルを貼付する上貼り貼付機、或いは搬送商品の底面にラベルを貼付する下貼り貼付機等を使用することができる。
【００１３】
上記手段によれば、第一の貼付手段でラベルが貼付された後に、該ラベルが貼付された面とは異なる面が第二の貼付手段と向き合うようになるので、第二の貼付手段でも商品間にラベルが確実に貼付される。即ち、商品の二面にラベルが貼付されるので、しっかりと商品が一体化される。それにより、ラベル貼付によって商品の一体化を確実に行うことができる。
【００１４】
また、前記複数の貼付手段で貼付されるラベルは、同じ内容のラベルであっても、異なる内容のラベルの何れでもよい。
前記第一の貼付手段は上貼り貼付機、第二の貼付手段は上貼り貼付機、下貼り貼付機の何れでもよい。
【００１５】
上記手段によれば、第一の貼付手段（上貼り貼付機）によりラベルが貼付され一体化された商品の向きが変更手段によって回転されて搬送手段に移行し、搬送途中に第二の貼付手段（上貼り貼付機、又は下貼り貼付機）によりラベルが貼付される。即ち、商品の搬送を利用して、商品の二面にラベルを確実に貼付することができる。よって、隣り合わせて保持した商品の異なる複数の面にラベルを複数枚貼付することで、複数個の商品の一体化を確実に行うことができる。
【発明の効果】
【００２０】
本発明の商品は、請求項１記載の構成により、紐や袋などの結束具を用いることなく、商品に貼付するラベルによって一体化することが出来る。
また、保持した商品間を跨いでラベルを貼付手段によって貼付できるため、一体化のラベル貼付を確実に行うことができる。
また、商品の二面にラベルが貼付されるので、しっかりと商品が一体化される。
また、隣り合った商品の二面にラベルを確実に貼付することができ、しかも、商品の向きが変更された商品の搬送途中で搬送面の上方、或いは下方から２枚目のラベルが貼付されるようになるので、商品の側面の内、ラベルが貼付されていない面を、第二の貼付手段と容易に向き合わせることができる。よって、商品の一体化を確実に行うことができる。
【図面の簡単な説明】
【００２２】
【図１】本発明に係る一体化の装置の一例を示す斜視図。
【図２】同装置の正面図。
【図３】装置の他の実施例を示す斜視図。
【図４】（ａ）は同装置の保持手段部分を示す拡大斜視図、（ｂ）は同縦断面図。
【図５】装置の更に他の実施例を示す斜視図。
【図６】商品を一体化するラベルの貼付形態を示す斜視図で、（ａ）は商品（三角形おにぎり）の斜辺と底辺の２箇所にラベルを貼付した状態、（ｂ）は商品（三角形おにぎり）の斜辺１箇所にラベルを貼付した状態、（ｃ）は商品（三角形おにぎり）の頂部を跨ぐ二つの斜辺と底辺の２箇所にラベルを貼付した状態。
【図７】商品を一体化するラベルの貼付形態を示す斜視図で、（ａ）は商品（三角形おにぎり）の斜辺を跨いで正面から裏面にラベルを貼付した状態、（ｂ）は商品（円形おにぎり）の外周面にラベルを貼付した状態。
【発明を実施するための形態】
【００２３】
本発明に係る商品の一体化方法は、立体形状を有する外形が同じ商品、例えば、三角形おにぎりを複数個（例えば、２個）を一体化する方法で、その方法は、商品（三角形おにぎり）の同じ面（三角形の面）同士を密着させて起立状態に保持し、その起立する両商品の面同士が合わさった商品と商品との間の境界線を跨いで両商品に亘りラベルを貼付して、両商品を集合して一体化する。
前記隣り合った両商品に亘り貼付するラベルは、商品名や価格等を印字した商品ラベル、或いは商品の原材料や添加物情報が印字された添加物ラベルの何れでもよい。
又、前記ラベルを貼付する箇所は、境界線を跨ぐ箇所であればよく、例えば、図６（ａ）、（ｂ）に示すように三角形の斜辺、底辺、或いは図６（ｃ）に示すように頂部を跨ぐ両斜辺、更に、図７（ａ）に示すように隣り合った一方の商品の前面から両商品の斜辺を跨いで他方の商品の後面、又は図７（ｂ）に示すように円形の外周面などが挙げられる。
以下に、前記一体化方法の実施に使用するラベル貼付装置の実施の形態の一例を図面に基づいて説明する。尚、以下に示すラベル貼付装置は、商品として「三角形おにぎり」を例に説明する。
【実施例１】
【００２４】
図１及び図２はラベル貼付装置の概略を示し、該ラベル貼付装置Ａは、外形が同じ複数個（図示例では２個）の商品Ｗ，Ｗ’を、三角形の面を接合させて少なくともラベル貼付時に集合した商品Ｗ，Ｗ’相互が離れないように保持する保持手段Ａ１と、前記保持手段Ａ１で保持された商品Ｗ，Ｗ’に、境界線２０を跨いでラベルを貼付する貼付手段Ａ２とで構成されている。
【００２５】
保持手段Ａ１は、商品Ｗ，Ｗ’の頂部を下向きにし、頂部と対向する底面が上を向く逆三角形の状態に保持して搬送するもので、無端回動する回転帯１の外周面に、商品Ｗ，Ｗ’を、頂部が鉛直下方を向く逆三角形の起立状態に保持する受け枠２が搬送方向に所定の間隔をおいて配置され、更に前記受け枠２の側方（回転帯の搬送方向と直交する方向）には該受け枠２の幅方向を規制する幅規制杆３，３’が回転帯１の往路側の略全長に亘って配置されている。
【００２６】
前記受け枠２は、回転帯１の外側面に、合成樹脂材又は金属板等で略く字型に形成した枠部材２ａを２個、搬送方向に沿い互い違いに配置して略Ｖ字型の収容部を形成し、商品Ｗ，Ｗ’の頂部を下向きにし、底面が上を向く状態で収容し得るように構成されている。
前記受け枠２を構成する各枠部材２ａは、回転帯１に対して着脱交換可能に取り付けられ、回転帯１の無端回動により往路側において前記２個１組の枠部材２ａで商品Ｗ，Ｗ’の受け枠２が順次形成されるようになっている。
そして、前記回転帯１に設けられた受け枠２は、該回転帯１の回動により往路の終端位置で反転回動され、受け枠２に収容された商品は回転されて向きが変更（逆三角形状態→三角形状態）される。この回転帯１と受け枠２の構成は、商品の向きを変える変更手段としての機能を併せ持つものである。
【００２７】
前記幅規制杆３，３’は、前記受け枠２の商品Ｗ，Ｗ’が収容される幅（領域）を決定するもので、図示例では商品Ｗ，Ｗ’の三角形の面を合わせた時の横幅と略同じ幅か、それより多少幅広く設定されている。即ち、商品Ｗ，Ｗ’を受け枠２に確実に収容でき、且つ収容された２個の商品Ｗ，Ｗ’が必要以上に離れないような幅である。
そして、この保持手段Ａ１は支持脚４で所定高さに支持されるとともに、キャスタ等を備えて移動設置を自由に行えるようになっており、この保持手段Ａ１の搬送方向終端側の上方位置に、商品Ｗ，Ｗ’の底面にラベルＬ１を貼付する第一の貼付手段の上貼り貼付機５（貼付手段Ａ２）が、更に保持手段Ａ１の搬送方向終端側下流位置に、前記ラベルＬ１の貼付箇所以外の面にラベルＬ２を貼付する第二の貼付手段の下貼り貼付機６（貼付手段Ａ２）を備えた搬送手段７が接続配置されている。
【００２８】
前記上貼り貼付機（第一の貼付手段）５は、前記保持手段Ａ１の受け枠２に収容された商品Ｗ，Ｗ’の略水平な底面に、境界線２０を跨いでラベルＬ１を貼付するもので、該上貼り貼付機５は、商品名や値段等の商品情報、或いは添加物情報、特売キャンペーン等のＰＯＰ広告等をラベルに印字発行する印字部（図示省略）と、印字発行されたラベルを商品の所定位置に貼付する貼付部５ａを備えた今日周知のもので、所定事項が印字されたラベルを貼付する貼付部５ａは、例えば、空気の吸引作用で発行されたラベルを吸着保持し、その吸着保持したラベルを商品Ｗ，Ｗ’に押し付けて貼付する吸着押し付け方式で構成されている。
【００２９】
そして、この上貼り貼付機５は、該上貼り貼付機５より上流方向直前位置に位置して前記保持手段Ａ１に配置した商品検知センサ８で、受け枠２に収容された商品Ｗ，Ｗ’が検知される、その検知信号によって該上貼り貼付機５が作動され、ラベルＬ１を印字発行し、ラベルＬ１を商品Ｗ，Ｗ’に貼付するように制御されている。
また、前記回転帯１は、低速で連続回転し、商品Ｗ，Ｗ’を移動させながら上貼り貼付機５でラベルＬ１を貼付してもよいが、ラベル貼付対象の商品Ｗ，Ｗ’が上貼り貼付機５と対応した時、回転帯１の回転を止め、停止状態の商品Ｗ，Ｗ’にラベルＬ１を貼付するようにしてもよい。
【００３０】
そして、ラベルＬ１が貼付された商品Ｗ，Ｗ’は回転帯１の回転によって保持手段Ａ１の終端側に搬送され、終端部で回転帯１の回転に伴う受け枠２の反転動作（変更手段）によって収容された商品Ｗ，Ｗ’はラベルＬ１が貼付された底面の先端側が、搬送手段７のベルト７ａ上に接触し、ベルト７ａの回転で該商品Ｗ，Ｗ’は頂部が上を向いた状態で落下移載され、下貼り貼付機６に向けて搬送される。
保持手段Ａ１から搬送手段７への落下移載により、商品Ｗ，Ｗ’に接合線２０を跨いで貼付されたラベルＬ１は該商品の所定角度（約６０度）の回転により搬送手段７の搬送方向を向く前面（前側斜辺）に位置し、下貼り貼付機６（ベルト７ａ）とはラベルＬ１が貼付されていない面が対向するようになる。
【００３１】
下貼り貼付機（第二の貼付手段）６は、搬送手段７のベルト７ａ上に載置されて搬送される商品Ｗ，Ｗ’のベルト７ａとの接触面にラベルＬ２を貼付するもので、該下貼り貼付機６は、商品名や値段等の商品情報、或いは添加物情報、特売キャンペーン等のＰＯＰ広告等をラベルに印字発行する印字部６ａと、印字発行されたラベルを商品の所定位置に貼付する貼付部６ｂを備えた今日周知のもので、所定事項が印字されたラベルＬ２を貼付する貼付部６ｂは、例えば、発行されたラベルＬ２を該ラベルＬ２の粘着層でラベル搬送ベルト面に接着保持し、その接着保持したラベルＬ２をラベル搬送ベルトの回動で前記搬送手段７の開口部９に向けて搬送し、開口部９上を搬送される商品Ｗ，Ｗ’の底面に押し付けて貼付するように構成されている。
【００３２】
前記下貼り貼付機６は、搬送手段７の搬送路側方の所定位置に配置した商品検知センサ１０が商品Ｗ，Ｗ’の通過を検知すると、その検知信号によって作動するように構成されている。
【００３３】
上記ラベル貼付装置Ａによって、一体化された商品Ｗ，Ｗ’の境界線２０を跨いで、異なる二つの面にラベルＬ１とラベルＬ２が貼付される。この場合、ラベルの貼付形態は図６（ａ）に示すラベル二枚二面貼りとなり、２個の商品Ｗ，Ｗ’はラベル２枚によってしっかりと一体化される。そして、ラベルＬ１の貼付は２個の商品Ｗ，Ｗ’を保持手段Ａ１で接合状態に保持して行なわれるため、２個の商品がずれた状態でラベルＬ１が貼付されることはなく、一体化された２個の商品の境界線２０を跨いでラベルＬ１を確実に貼付することができる。
【００３４】
また、前記ラベル貼付装置Ａで、上貼り貼付機５のみを作動し、下貼り貼付機６を作動させなければ、図６（ｂ）に示すように商品Ｗ，Ｗ’に対して一枚のラベルＬ１を貼付することができる。
尚、商品Ｗ，Ｗ’は、フィルム等で個別包装され、且つ商品名、値段、賞味期限などの商品情報が表示されたラベルが貼付されている場合、本装置で貼付するラベルには特売キャンペーン（纏め売り）等のＰＯＰ広告が表示されたラベルを使用してもよい。
【実施例２】
【００３５】
前記実施例１の保持手段Ａ１は、無端回動する回転帯１に受け枠２を設けた連続移動方式の貼付装置であるが、一組単位で１回ずつラベルを貼付する単独方式でもよい。以下、その単独方式のラベル貼付装置を図３、図４に基づいて説明する。尚、実施例１で示した部材と同じ部材については同じ符号を付し、説明を省略する。
そのラベル貼付装置Ａ’は、下貼り貼付機（第二の貼付手段）６を備えた搬送手段７のベルト７ａ上に、商品Ｗを２個合わせてラベル貼付状態に保持する保持手段Ａ１’が配置され、その保持手段Ａ１’の直上に上貼り貼付機（第一の貼付手段）５が配置されて構成されている。
【００３６】
その保持手段Ａ１’は、商品Ｗを２個収容する幅方向の空間を区画する前後側板１１，１１’と、その前後側板１１，１１’間に挿入配置した後側受け板１２と、商品Ｗ，Ｗ’の前側を支える前支持棒１３，１３’とを備え、前記後側受け板１２の背面には前後側板１１，１１’と後側受け板１２と前支持棒１３，１３’とで区画される収容部１４に商品Ｗ，Ｗ’が収容されたか否かを検知する商品検知センサ１５が取り付けられている。
【００３７】
前記後側受け板１２は、商品Ｗの「三角形おにぎり」を頂部が鉛直下方を向く逆三角形の状態に起立保持するために水平面に対して所定の角度（約６０度）に傾斜して配置されている。
また、前支持棒１３，１３’は、前記後側受け板１２となす角度が所定角度（６０度）となるようにして前後側板１１，１１’に対して軸方向スライド可能に取り付けられ、商品Ｗ，Ｗ’を収容部１４に収容するときは前後側板１１，１１’間の中央部に向けて突出し、商品Ｗ，Ｗ’を逆三角形の状態に保持する。そして、商品Ｗ，Ｗ’の底面にラベルを貼付した後は前後側板１１，１１’の外側に移動して該前後側板１１，１１’間を開放し、ラベルが貼付された商品Ｗ，Ｗ’が搬送手段７のベルト７ａ上に落下移載されるように構成されている。
前記前支持棒１３，１３’は、前後側板１１，１１’の外側に配置したエアーシリンダ１６，１６’によって出没するように構成されている。この、支持棒１３，１３’を軸方向に出没移動させるエアーシリンダ１６，１６’が商品の向きを変える変更手段である。
尚、搬送手段７のベルト７ａ上方に配置される保持手段Ａ１’は、ベルト７ａの駆動回転を阻害しない非接触状態にあればよい。
【００３８】
上記構成のラベル貼付装置Ａ’で商品Ｗ，Ｗ’にラベルＬ１を貼付する作業は、先ず前後側板１１，１１’と後側受け板１２と前支持棒１３，１３’とで区画される収容部１４に商品Ｗを２個、手作業で収容する。そして、収容部１４に商品Ｗが所定数収容されたことが商品検知センサ１５で検知されると、その検知信号により上貼り貼付機５が作動し、貼付部５ａによって合わせ保持されている商品Ｗ，Ｗ’間の境界線２０を跨いでラベルＬ１が貼付される。そして、前記商品検知センサ１５で商品が検知されてから一定時間経過後、エアーシリンダ（変更手段）１６，１６’が作動して前支持棒１３，１３’を前後側板１１，１１’側に没入させ、前後側板１１，１１’間を開放して商品Ｗ，Ｗ’の支えを解除し、ラベルＬ１が貼付されて一体化された商品Ｗ，Ｗ’を搬送手段７のベルト７ａ上に回転（略６０度）落下させて向きを変更し移載する。
【００３９】
搬送手段７のベルト７ａ上に移載された商品Ｗ，Ｗ’は、前記実施例１と同様、搬送手段７の搬送により下貼り貼付機６に向けて搬送され、該下貼り貼付機６によってベルト７ａと接する商品Ｗ，Ｗ’の底面（ラベルＬ１が貼付された面とは異なる面）にラベルＬ２が貼付される。これにより、図６（ａ）、又は図６（ｂ）のラベル貼付を行なうことができる。そして、前記実施例１と同様、２個の商品を保持手段Ａ１’で合わせた状態に保持して上貼り貼付機５でラベルＬ１を貼付するため、２個の商品の境界線２０を跨いで確実にラベルＬ１を貼付することができる。
【００４０】
尚、実施例１及び実施例２において、ラベルＬ１が貼付されて一体化された商品Ｗ，Ｗ’を搬送手段７で搬送し、下貼り貼付機６でラベルＬ２を貼付する場合、ラベルＬ１で一体化された商品Ｗ，Ｗ’が確実に下貼り貼付機６の上を通過するように、搬送手段７上に幅寄せ手段等を配置してもよい。
【実施例３】
【００４１】
前記実施例１及び実施例２に示したラベル貼付装置Ａ、Ａ’は、何れも２個の商品を逆三角形状に起立させて接合保持する保持手段Ａ１，Ａ１’を備え、商品Ｗ，Ｗ’に対するラベルＬ１の貼付を水平面と略平行な底面に上貼り貼付機５によって行なう装置であるが、商品Ｗを頂部が上を向く姿勢のままに保持して、一体化のラベルＬ１、Ｌ２を貼付することも可能である。以下、その概略を図５に基づいて簡単に説明する。尚、実施例１で示した部材と同じ部材については同じ符号を付し、説明を省略する。
【００４２】
そのラベル貼付装置Ａ”は、下貼り貼付機（第二の貼付手段）６を備えた搬送手段７のベルト７ａ上に、商品Ｗを、頂部が上を向いた起立状態に保持し、２個合わせて案内する保持手段Ａ１”が配置され、その保持手段Ａ１”で保持される商品Ｗ，Ｗ’の搬送方向と反対側の斜辺と対向する位置に上貼り貼付機（第一の貼付手段）１７が配置されて構成されている。
【００４３】
その保持手段Ａ１”は、搬送手段７のベルト７ａ上に、商品Ｗを頂部を上に向けた起立状態で複数個（図示例は２個）を接合し、並列載置し得る収容空間を区画する２本の平行なガイド杆１８，１８’で構成され、そのガイド杆１８，１８’は搬送手段７の搬送方向に沿い略全長に亘って形成されている。そして、前記ガイド杆１８，１８’の入口側（図面では左側）より上流側の搬送手段７の側部には商品検知センサ１９，１９’が設置され、該商品検知センサ１９，１９’の検知信号で上貼り貼付機１７が作動するように構成されている。
【００４４】
上記ラベル貼付装置Ａ”によるラベル貼付は、搬送手段７のベルト７ａ上に商品Ｗを２個起立載置すると、該商品Ｗは搬送手段７のベルト７ａの回転で搬送され、保持手段Ａ１”のガイド杆１８，１８’の間に入って、２個の商品Ｗは隣り合った状態に形成される。また、前記ガイド杆１８，１８’の中に入る商品Ｗが搬送手段７の側方に配置した商品検知センサ１９，１９’で検知されると、その検知信号で上貼り貼付機１７が作動され、ラベルＬ１を吸着保持した貼付部が前記商品Ｗの斜辺に向けて移動し、ラベルＬ１を境界線２０を跨いで２個の商品の斜辺に亘って貼付する。ラベルＬ１が貼付された２個の商品Ｗはベルト７ａの回転とガイド杆１８，１８’の作用で下流側に配置した下貼り貼付機６に向けて搬送され、商品Ｗの底面に該下貼り貼付機６によってラベルＬ２が貼付される。前記保持手段Ａ１”のガイド杆１８，１８’の長さを下貼り貼付機６近辺位置まで延長した場合は、商品Ｗを下貼り貼付機６の貼付位置に対してずれることなく案内移送することが出来る。
【００４５】
上記実施例１〜実施例３に示したラベル貼付装置は何れも図６（ａ）又は図６（ｂ）に示すように商品Ｗの三つの斜辺の内の二つの斜辺、或いは一つの斜辺にラベルを貼付する形態を示したが、ラベルの貼付形態はこれに限定されず、例えば、図６（ｃ）に示すように、上貼り貼付機で貼付されるラベルＬ１を、頂部を挟む二つの斜辺に亘って貼付してもよい。その場合、上貼り貼付機の位置、作動方向等は調整する必要がある。
【００４６】
また、商品Ｗの斜辺に貼付するラベルＬ１は、図６（ａ）、（ｂ）に示すようにその斜辺の面内に収めることなく、図７（ａ）に示すように、ラベルＬ１の前後端部を斜辺と直角に交差する三角形の前後面側に折り返して貼付するようにしてもよい。この場合は、１枚のラベルで２個の商品の一体化を強固に行うことができる。
【００４７】
また、前記実施例は商品Ｗとして「三角形おにぎり」を例に説明したが、本発明が対象とする起立状態で陳列販売される立体形状の商品は三角形に限らず、四角形、或いは図７（ｂ）に示すような円形でもよく、円形商品の場合は円弧形状の外周面に沿ってラベルＬを１枚、若しくは２枚を対向させて貼付する。尚、商品を隣り合わせて保持する保持手段は、対象の商品形状に合わせて適宜変更する。
【００４８】
本発明に係るラベル貼付装置は図示した実施の形態に限定されず、本発明の要旨を変更しない範囲で適宜変更可能である。
（１）実施の形態では、貼付手段（上貼り貼付機、下貼り貼付機）として印字部を備えたラベル貼付機について説明したがこれに限らず、印字部を備えず、必要事項が事前印字されたラベルロール（例えば、ＰＯＰラベル）を使用するラベル貼付機であってもよい。
（２）実施の形態では、上貼り貼付機としてエアーの吸引力でラベルを吸着保持し、そのラベルを商品に押し付けて貼付する貼付機を例に説明したがこれに限らず、エアーの吹付けによってラベルを商品に貼付する方式の貼付機でもよい。
（３）実施の形態では、商品として「三角形おにぎり」を例に挙げて説明したがこれに限らず、商品の形状は四角形、円形等でもよい。また、対象の商品は「おにぎり」に限らず、「サンドイッチ」、「箱詰めのスナック菓子」などでもよい。
（４）実施の形態では、商品として「三角形おにぎり」を例に挙げ、第一の貼付手段は上貼り貼付機、第二の貼付手段を下貼り貼付機とした貼付装置について説明したがこれに限定されない。商品が例えば、四角形（正方形、長方形）であれば、第一の貼付手段（上貼り貼付機）でラベルが貼付された商品を、受け枠の回転によって９０度回転させた場合、略直角に交差する隣のラベルが貼付されていない面が水平面と略平行に現出し、第二に貼付手段は第一の貼付手段と同様、上貼り貼付機でラベルの貼付が可能となる。
（５）実施の形態では、保持手段の受け枠を、三角形の商品を例に挙げ略Ｖ字型の収容部を形成する２個１組の枠部材２ａと、前記枠部材２ａの前後面を規制する幅規制杆３，３’からなる例を示したがこれに限らず、四角形の商品であれば升のような方形状の枠体でもよい。
【符号の説明】
【００４９】
Ａ、Ａ’、Ａ”…ラベル貼付装置
Ａ１、Ａ１’、Ａ１”…保持手段
Ａ２…貼付手段
Ｗ、Ｗ’…商品
Ｌ１，Ｌ２…ラベル
１…回転帯（変更手段）
２…受け枠（変更手段）
３，３’…幅規制杆
５…上貼り貼付機（第一の貼付手段）
６…下貼り貼付機（第二の貼付手段）
７…搬送手段
２０…境界線
【図１】
0005617099.tif 000002
【図２】
0005617099.tif 000003
【図３】
0005617099.tif 000004
【図４】
0005617099.tif 000005
【図５】
0005617099.tif 000006
【図６】
0005617099.tif 000007
【図７】
0005617099.tif 000008